(57)【要約】【課題】洗剤量が設定されていない状態で自動投入動作が実行されることを防止すること。【解決手段】洗濯槽２０と、洗剤自動投入部２４と、制御部２９と、表示部であるＬＥＤ５５ａ〜５５ｐと、操作部であるボタン５６ａ〜５６ｋとを備え、制御部２９は、メモリ３７に記憶された洗剤自動投入部２４のＯＮ／ＯＦＦ設定及び洗剤量設定を読み込み、洗剤自動投入部２４がＯＮ設定であり、かつ洗剤量設定が未設定である時、洗剤自動投入部２４をＯＦＦ設定とすることで、洗剤の過少投入や過剰投入による洗浄性能、すすぎ性能の低下、泡の異常発生といった課題を未然に抑止することができる洗濯機を提供する。【選択図】図４
2019208860.tif 000002
【特許請求の範囲】
【請求項１】
水槽と、前記水槽内に洗剤を投入する洗剤自動投入部と、前記洗剤自動投入部のＯＮ／ＯＦＦの切り替えの設定、及び前記洗剤自動投入部による洗剤投入量の設定を入力する操作部と、前記操作部の設定内容を表示する表示部と、前記洗剤自動投入部と前記表示部とを制御する制御部とを備え、前記制御部は、洗剤投入量が未設定の時、前記洗剤自動投入部をＯＦＦ設定にする洗濯機。
【請求項２】
前記洗剤自動投入部がＯＮ設定であり、かつ洗剤投入量が未設定の時、前記制御部は、洗剤投入量の設定を入力する洗剤投入量設定モードを開始し、前記洗剤投入量設定モードにおいて洗剤投入量が設定されずに前記洗剤投入量設定モードが終了した時、前記洗剤自動投入部をＯＦＦ設定にする請求項１に記載の洗濯機。
【請求項３】
洗剤投入量が未設定の時、前記洗剤自動投入部がＯＮ設定とならないようにする請求項１に記載の洗濯機。
【請求項４】
水槽と、前記水槽内に洗剤を投入する洗剤自動投入部と、前記洗剤自動投入部のＯＮ／ＯＦＦの切り替えの設定、及び前記洗剤自動投入部による洗剤投入量の設定を入力する操作部と、前記操作部の設定内容を表示する表示部と、前記洗剤自動投入部と前記表示部とを制御する制御部とを備え、前記表示部は、前記洗剤自動投入部がＯＮ設定であり、かつ洗剤投入量が未設定の時、洗剤投入量が設定されていない旨を報知する洗濯機。
【発明の詳細な説明】
【技術分野】
【０００１】
本発明は、洗剤を自動で洗濯槽内に供給する洗剤自動投入部を備えた洗濯機に関するものである。
【背景技術】
【０００２】
従来、この種の洗濯機として、液体洗剤などを自動的に投入する洗剤自動投入部を備えたものが提案されている（例えば、特許文献１参照）。
【０００３】
図８は、特許文献１に記載された従来の洗剤自動投入部を備えた洗濯機を示すものである。
【０００４】
図８に示すように、特許文献１における洗濯機は、洗濯槽８１と、制御手段８４と、布量検知手段８７と、入力手段８８から構成されている。特許文献１における洗濯機は、布量検知手段８７により洗濯槽内の布量を検知し、制御手段８４により洗い、すすぎ、脱水の各行程を逐次制御する。使用者は、洗剤に記載された表示に基づき、ある一定の水量に応じた洗剤量の値を入力手段８８に入力する。制御手段８４は、入力手段８８により入力された洗剤量の設定から、洗濯槽８１内に収納された衣類を洗濯するために必要な洗剤量を算出し、発光ダイオード等を有する表示手段８９に表示する。
【先行技術文献】
【特許文献】
【０００５】
【特許文献１】特開２００３−１６４６９５号公報
【発明の概要】
【発明が解決しようとする課題】
【０００６】
しかしながら、前記従来の構成では、洗剤自動投入部のＯＮ／ＯＦＦ設定と、自動投入する洗剤量の設定が独立しており、洗剤量が未設定のままでも洗剤自動投入部をＯＮに設定できる。すると、洗剤量が設定されていない状態で自動投入動作が実行されてしまい、適切でない量の洗剤が投入される虞があり、例えば、洗剤量が少ないために洗濯物の汚れ落ちが悪かったり、洗剤量が多いために泡の異常発生やすすぎ性能の低下といった問題が発生するという課題を有していた。
【０００７】
本発明は、前記従来の課題を解決するもので、洗剤の過少投入や過剰投入による洗浄性能、すすぎ性能の低下、泡の異常発生といった課題を未然に抑止することができる。
【課題を解決するための手段】
【０００８】
前記従来の課題を解決するために、本発明の洗濯機は、水槽と、前記水槽内に洗剤を投入する洗剤自動投入部と、前記洗剤自動投入部のＯＮ／ＯＦＦの切り替えの設定、及び前記洗剤自動投入部による洗剤投入量の設定を入力する操作部と、前記操作部の設定内容を表示する表示部と、前記洗剤自動投入部と前記表示部とを制御する制御部とを備え、前記制御部は、洗剤投入量が未設定の時、前記洗剤自動投入部をＯＦＦ設定にするものである。これによって、洗剤の過少投入や過剰投入による洗浄性能、すすぎ性能の低下、泡の異常発生といった課題を未然に抑止することができる。
【発明の効果】
【０００９】
本発明の洗濯機は、洗剤の過少投入や過剰投入による洗浄性能、すすぎ性能の低下、泡の異常発生といった課題を未然に抑止することができる。
【図面の簡単な説明】
【００１０】
【図１】本発明の実施の形態１における洗濯機の縦断面図
【図２】同洗濯機の操作表示パネルの平面図
【図３】同洗濯機の制御ブロック図
【図４】同洗濯機の自動投入設定時のフローチャート
【図５】一般的な合成洗剤の洗剤量表示の一例を示す図
【図６】本発明の実施の形態２における異常報知処理時のフローチャート
【図７】本発明の実施の形態３における自動投入設定時のフローチャート
【図８】従来の洗濯機におけるブロック図
【発明を実施するための形態】
【００１１】
第１の発明における洗濯機は、水槽と、前記水槽内に洗剤を投入する洗剤自動投入部と、前記洗剤自動投入部のＯＮ／ＯＦＦの切り替えの設定、及び前記洗剤自動投入部による洗剤投入量の設定を入力する操作部と、前記操作部の設定内容を表示する表示部と、前記洗剤自動投入部と前記表示部とを制御する制御部とを備え、前記制御部は、洗剤投入量が未設定の時、前記洗剤自動投入部をＯＦＦ設定にする構成としたものである。これにより、洗剤量設定がされていない状態で、洗剤自動投入部をＯＮにして運転を開始することを防止することができ、洗剤の過少投入や過剰投入による洗浄性能、すすぎ性能の低下、泡の異常発生といった課題を未然に抑止することができる。
【００１２】
第２の発明における洗濯機は、特に、第１の発明において、前記洗剤自動投入部がＯＮ設定であり、かつ洗剤投入量が未設定の時、前記制御部は、洗剤投入量の設定を入力する洗剤投入量設定モードを開始し、前記洗剤投入量設定モードにおいて洗剤投入量が設定されずに前記洗剤投入量設定モードが終了した時、前記洗剤自動投入部をＯＦＦ設定にする構成としたものである。これにより、洗剤の過少投入や過剰投入による洗浄性能、すすぎ性能の低下、泡の異常発生といった課題を未然に抑止することができる。
【００１３】
第３の発明における洗濯機は、特に、第１の発明において、洗剤投入量が未設定の時、前記洗剤自動投入部がＯＮ設定とならないようにする構成としたものである。洗剤量設定がされていない旨を使用者に報知することができ、洗剤の過少投入や過剰投入による洗浄性能、すすぎ性能の低下、泡の異常発生といった課題を未然に抑止することができる。
【００１４】
第４の発明における洗濯機は、水槽と、前記水槽内に洗剤を投入する洗剤自動投入部と、前記洗剤自動投入部のＯＮ／ＯＦＦの切り替えの設定、及び前記洗剤自動投入部による洗剤投入量の設定を入力する操作部と、前記操作部の設定内容を表示する表示部と、前記洗剤自動投入部と前記表示部とを制御する制御部とを備え、前記表示部は、前記洗剤自動投入部がＯＮ設定であり、かつ洗剤投入量が未設定の時、洗剤投入量が設定されていない旨を報知する構成としたものである。これにより、洗剤量設定がされていない旨を使用者に報知することができ、洗剤の過少投入や過剰投入による洗浄性能、すすぎ性能の低下、泡の異常発生といった課題を未然に抑止することができる。
【００１５】
以下、本発明の実施の形態について、図面を参照しながら説明する。この実施の形態によって本発明が限定されるものではない。
【００１６】
（実施の形態１）
［１−１−１．実施の形態１における洗濯機の基本構成］
図１は、本発明の実施の形態における洗濯機の縦断面図である。
【００１７】
図１に示すように、水槽２２は筐体２５内に防振支持されており、洗濯槽２０は回転自
在に水槽２２に内包される。洗濯槽２０は、底面に撹拌翼２１を回転自在に配設され、水槽２２の底面には洗濯槽２０と撹拌翼２１を駆動するモータ２３が設けられている。
【００１８】
筐体２５の上部には操作表示パネル３６が配置され、操作表示パネル３６の下方には制御部２９が設けられている。使用者は、操作表示パネル３６を操作することにより、希望する運転内容を設定したり、運転の開始や、一時停止を操作したり、運転の進行状態を確認したりすることができる。制御部２９は、使用者による運転設定に基づき、洗い、すすぎ、脱水の一連のステップの運転を実行する。このとき、予約運転が設定されていれば、その設定に応じて運転を遅延して実行する。
【００１９】
注水管路３３及び排水管路３５は、水槽２２と接続され、それぞれ注水弁３２及び排水弁３４を有する。注水弁３２及び排水弁３４は、制御部２９により開閉動作を制御されている。制御部２９は、注水弁３２及び排水弁３４を開けることで、水槽２２内への注水及び排水を実行する。
【００２０】
洗剤自動投入部２４は、筐体２５の上部に配設され、洗剤を収容した洗剤タンク２６と、洗剤ポンプ部２８とを内包する。洗剤タンク２６は、洗剤を入れる補給口をキャップ２７で覆われる。洗剤ポンプ部２８は、自動ポンプやシリンダー等で構成される。洗剤ポンプ部２８は、制御部２９により動作を制御され、洗剤タンク２６内の洗剤を水槽２２内に投入する。
【００２１】
洗剤自動投入部２４より供給された洗剤は、吐出経路３０を経由して水槽２２内へ投入される。吐出経路３０の構成は、管状配管や接続ホース、矩形軌道の経路等であってもよく、図１に記載された構成に限定するものではない。
【００２２】
［１−１−２．実施の形態１における洗濯機の洗濯運転の動作］
洗濯運転の動作について、順に説明する。使用者が、操作表示パネル３６により運転設定を行い、洗濯槽２０内に洗濯物を投入し、操作表示パネル３６上を操作すると、洗濯運転が開始される。洗濯運転が開始されると、まず初めに洗いステップが開始される。制御部２９は、洗剤自動投入部２４に洗濯物の量に応じた洗剤を投入させるとともに、注水弁３２を開いて、注水管路３３を介して水槽２２内に水道水を注水する。水槽２２内の水位が所定値に到達すると、モータ２３により撹拌翼２１が回転駆動され、洗濯物の汚れを取り除く攪拌動作が開始される。所定の時間、攪拌動作が行われた後、汚れた洗濯液が排水管路３５から排出される。続いて、洗濯槽２０を高速回転させる脱水動作により洗濯物に含まれた洗濯液が脱水されると、洗いステップは終了となる。
【００２３】
次に、すすぎステップが開始されると、排水弁３４が閉じられ、水槽２２内に注水管路３３から水道水が注水される。すすぎステップでも、洗いステップと同様に、攪拌動作が行われた後、洗濯槽２０内の水が排水される。続いて、脱水ステップが開始される。脱水ステップでも、洗濯槽を高速回転させる脱水動作が行われ、衣類の水分を取り除かれる。脱水動作の終了とともに全ステップが終了となり、洗濯運転が終了する。
【００２４】
［１−２−１．実施の形態１における操作表示部の構成］
図２は、本発明の実施の形態における洗濯機の操作表示部の平面図、図３は、本実施の形態における洗濯機の制御ブロック図である。
【００２５】
図２において、操作表示パネル３６は、表示部であるＬＥＤ５５ａ〜５５ｐと操作部であるボタン５６ａ〜５６ｋを備えている。
【００２６】
表示部であるＬＥＤとしては、「洗い」時間を表示する洗い時間ＬＥＤ５５ａ，５５ｂ
，５５ｃと、「すすぎ」回数を表示するすすぎ回数ＬＥＤ５５ｄ，５５ｅ，５５ｆと、「脱水」時間を表示する脱水時間ＬＥＤ５５ｇ，５５ｈ，５５ｉと、工程の残時間表示等を表示する７セグメントＬＥＤ５５ｊと、洗剤自動投入部２４のＯＮ／ＯＦＦ状態を表示のＬＥＤ５５ｋと、スタート／一時停止ボタンが操作可能か不能かを表示するＬＥＤ５５ｍと、洗剤量設定中の動作状態を表示する洗剤量設定モードＬＥＤ５５ｎと、７セグメントＬＥＤ５５ｊの表示が洗剤量（ｍＬ）を表すことを示す単位ＬＥＤ５５ｐと、が設けられている。
【００２７】
操作部であるボタンとしては、洗い工程の設定を行う洗いボタン５６ａと、すすぎ工程の設定を行うすすぎボタン５６ｂと、脱水工程の設定を行う脱水ボタン５６ｃと、工程開始及び一時停止を指示するためのスタート／一時停止ボタン５６ｆと、洗濯機の電源をＯＮ／ＯＦＦするための電源ＯＮボタン５６ｇ及び電源ＯＦＦボタン５６ｈと、洗剤自動投入部２４をＯＮ／ＯＦＦさせる自動投入ボタン５６ｍと、洗剤投入量設定モードを開始／終了させる洗剤量ボタン５６ｉと、洗剤投入量設定を１ずつ増加させるプラスボタン５６ｊと、洗剤投入量設定を１ずつ減少させるマイナスボタン５６ｋと、が設けられている。
【００２８】
図３において、制御部２９は、ＬＥＤ５５ａ〜５５ｐと、ボタン５６ａ〜５６ｋと、ブザー５９と接続されている。制御部２９は、操作表示パネル３６に設けられたＬＥＤ５５ａ〜５５ｐに現在の洗濯機の状態や設定可能な選択肢といった表示を行うとともに、ボタン５６ａ〜５６ｋからの設定指示を受け取る。また、制御部２９はブザー５９を制御することによって、使用者の操作内容や洗濯機の状態を報知することができる。例えば、使用者による操作部５６への通常の操作に対するブザー５９の吹鳴を一回とし、洗濯機の異常に対するブザー５９の吹鳴を五回とする構成とする。この構成により、使用者が異常に気付きやすくなり、操作性の向上につながる。
【００２９】
また、制御部２９は、モータ２３、注水弁３２、排水弁３４と接続されている。設定された運転内容に基づいてモータ２３、注水弁３２、排水弁３４などを制御することにより、一連のステップの運転を実行する。
【００３０】
また、制御部２９には、メモリ３７が接続されている。メモリ３７は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などであり、洗剤自動投入部のＯＮ／ＯＦＦ設定や、洗剤投入量設定、洗濯運転に関する各種設定情報などが記憶される。また、洗濯機の電源を切ってもメモリ３７の値は保持される。
【００３１】
ＬＥＤ５５ａ〜５５ｐとボタン５６ａ〜５６ｋは、制御部２９に接続され、次のように機能する。洗いボタン５６ａが押下されるごとに、「洗い」時間の設定が更新され、その設定時間に対応するＬＥＤ５５ａ，５５ｂ，５５ｃが点灯し、設定時間が表示される。同様に、すすぎボタン５６ｂ、脱水ボタン５６ｃが押下されるごとに、「すすぎ」回数、「脱水」時間の設定がそれぞれ更新され、その設定回数、時間に対応するＬＥＤ５５ｄ，５５ｅ，５５ｆ，５５ｇ，５５ｈ，５５ｉが点灯し、設定回数、時間が表示される。
【００３２】
［１−２−２．実施の形態１における洗剤自動投入の設定処理動作］
図４は、本発明の実施の形態１における洗濯機の自動投入設定時のフローチャート、図５は、一般的な合成洗剤の洗剤量表記の一例を示す図、である。図４及び図５を参照しながら、洗剤自動投入の動作を説明する。
【００３３】
洗剤自動投入を使用する場合、使用する洗剤に対応した洗剤量を洗濯機に設定する必要がある。例えば、本実施の形態における洗濯機は、水３０Ｌあたりの使用量を設定する構成であるため、図５に記載の洗剤を使用する場合、洗剤量を１５ｍＬと設定する必要があ
る。
【００３４】
次に、図４を用いて、一連の流れを説明する。
【００３５】
電源ＯＮボタン５６ｇが押下されると、洗濯機の電源がＯＮとなり、自動投入ボタン受付状態になる。自動投入ボタン受付状態において、自動投入ボタン５６ｍが押下されると、設定処理が開始される（Ｓ１００）。
【００３６】
設定処理が開始されると、制御部２９は、洗剤自動投入部２４がＯＮであるか、ＯＦＦであるかを判定する（Ｓ１０１）。洗剤自動投入部２４がＯＦＦの場合、制御部２９は、洗剤自動投入部２４のＯＮ／ＯＦＦ状態を表示するＬＥＤ５５ｋを消灯させ、メモリ３７に洗剤自動投入部２４のＯＦＦ設定を記憶させる（Ｓ１０３）。その後、設定処理を終了する。
【００３７】
Ｓ１０１において、洗剤自動投入部２４がＯＮであった場合、ＬＥＤ５５ｋを点灯させ、メモリ３７に洗剤自動投入部２４のＯＮ設定を記憶させる（Ｓ１０２）。
【００３８】
続いて、制御部２９は、メモリ３７に記憶された洗剤量設定を読み込み、洗剤量が設定されているか否かを判定する（Ｓ１０４）。洗剤量が設定済みの場合、制御部２９は、設定処理を終了する。
【００３９】
洗剤量が未設定の場合、制御部２９は洗剤量設定モードへ移行する（Ｓ１０５）。制御部２９は、洗剤量設定モード中であることを表示するＬＥＤ５５ｎ、洗剤量の単位がｍＬであることを示すＬＥＤ５５ｐを点灯させる。また、７セグメントＬＥＤ５５ｊには、洗濯機のデフォルトの洗剤量設定値（例えば、１０）を表示する。
【００４０】
続いて、使用者が、プラスボタン５６ｊ、又はマイナスボタン５６ｋを押下し、洗剤量を入力する（Ｓ１０６）。例えば、図４の洗剤を使用する場合、水３０Ｌあたりの洗剤使用量の目安は、１５ｍＬである。そこで、プラスボタン５６ｊを５回押下することで、７セグメントＬＥＤ５５ｊの表示は、１０から１５に変化し、洗剤量が入力される。
【００４１】
続いて、使用者が洗剤量ボタン５６ｉを押下すると、Ｓ１０６で入力した洗剤量設定（７セグメントＬＥＤ５５ｊに表示された値）が確定される（Ｓ１０７）。すると、制御部２９は、確定された洗剤量設定をメモリ３７に記憶し、洗剤量設定モードを終了する（Ｓ１０８）。このとき、洗剤量設定モード中であることを表示するＬＥＤ５５ｎ、７セグメントＬＥＤ５５ｊの表示が洗剤量（ｍＬ）であることを示すＬＥＤ５５ｐをオフし、７セグメントＬＥＤ５５ｊは元の表示に戻る。
【００４２】
一方、Ｓ１０７において、洗剤量ボタン５６ｉが押下されずに、例えば、洗いボタン５６ａや電源ＯＦＦボタン５６ｈなどの別のボタンが押下された場合、洗剤量設定が確定されていない状態で洗剤量設定モードが終了する。洗剤量設定が確定されなかった場合、自動投入ＬＥＤ５５ｋをオフし、メモリ３７に洗剤自動投入部２４のＯＦＦ設定をメモリし、洗剤量設定モードを終了する。
【００４３】
［１−２−３．実施の形態１における洗剤自動投入の設定処理の作用］
以上のように、本実施の形態１における洗濯機は、洗濯槽２０と、洗剤自動投入部２４と、制御部２９と、表示部であるＬＥＤ５５ａ〜５５ｐと、操作部であるボタン５６ａ〜５６ｋとを備え、制御部２９は、電源ＯＮボタン５６ｇが押下されると、メモリ３７に記憶された洗剤自動投入部２４のＯＮ／ＯＦＦ設定及び洗剤量設定を読み込む。洗剤自動投入部２４がＯＮ設定であり、かつ洗剤量設定が未設定である時、洗剤量設定モードへ移行
し、洗剤量設定が確定されていない状態で洗剤量設定モードが終了されてしまう場合は、メモリ３７に洗剤自動投入部２４のＯＦＦ設定をメモリする。これにより、洗剤量設定が未設定の場合に、洗剤自動投入部２４をＯＮ設定にすることを防止できるので、＜洗剤自動投入機能を有する洗濯機の操作性を向上させる＞。
【００４４】
なお、本実施の形態１では、Ｓ１０２で、洗剤自動投入部２４のＯＮ設定を記憶した後、Ｓ１０９で洗剤自動投入部２４のＯＦＦ設定を記憶しなおす構成としたが、これに限定するものではない。Ｓ１０２では、洗剤自動投入部２４のＯＮ設定を記憶せずに、Ｓ１０８など洗剤量設定終了時に、洗剤自動投入部２４のＯＮ設定を記憶するといった構成にしてもよい。
【００４５】
また、本実施の形態１では、表示部５５として各種ＬＥＤを用いたが、液晶モニタやタッチパネル等を用いてもよい。タッチパネルの場合は、表示部５５と操作部５６の両方をタッチパネル一つで兼ねることができる。
【００４６】
また、本実施の形態１では、洗剤自動投入部２４をＯＮ／ＯＦＦさせる自動投入ボタン５６ｍ、洗剤投入量設定モードを開始／終了させる洗剤量ボタン５６ｉ、洗剤投入量設定を１ずつ増加させるプラスボタン５６ｊ、洗剤投入量設定を１ずつ減少させるマイナスボタン５６ｋ等のボタンをそれぞれ別個のものとして設けたが、これらを一つのボタンで兼ねてもよく、形状や個々の構成を限定するものではない。
【００４７】
また、本実施の形態１では、操作部５６及び表示部５５を筐体上に配置するように説明したが、洗濯機に通信部を設け、無線通信で接続された外部端末を操作部５６及び表示部５５としてもよい。外部端末としては、家庭用テレビジョンやスマートフォン等が考えられるが、形状や構成は特に限定しない。
【００４８】
また、本実施の形態１では、洗剤を自動投入する洗濯機について説明したが、本発明はこれに限定されることなく、柔軟剤やその他の液剤を自動投入する洗濯機で構成されていてもよい。
【００４９】
また、本実施の形態１では、縦型洗濯機について説明したが、本発明はこれに限定されることなく、ドラム式洗濯機で構成されていてもよい。
【００５０】
（実施の形態２）
［２−１−１．実施の形態２における洗濯機及び操作表示部の構成］
実施の形態２の特徴は、洗剤自動投入部がＯＮ、かつ洗剤量設定が未設定である時、異常が発生した旨を使用者に報知することである。
【００５１】
実施の形態２の構成は、実施の形態１と同じであり、同一の構成に同一の符号を付して、詳細な説明は実施の形態１のものを援用する。
【００５２】
［２−１−２．実施の形態２における異常報知処理の動作］
図６は、実施の形態２における異常報知処理時のフローチャートである。
【００５３】
図６において、使用者がスタート／一時停止ボタン５６ｆを押下すると、異常報知の処理が開始する（Ｓ２００）。処理が開始されると、制御部２９は、洗剤自動投入部２４がＯＮであるか、ＯＦＦであるかを判定する（Ｓ２０１）。洗剤自動投入部２４がＯＦＦの場合（Ｓ２０１、ＮＯ）、制御部２９は、洗剤自動投入部２４のＯＮ／ＯＦＦ状態を表示するＬＥＤ５５ｋを消灯させる（Ｓ２０２）。その後、洗濯運転が行われ（Ｓ２０３）、異常報知の処理を終了する。
【００５４】
洗剤自動投入部がＯＮと判定された時（Ｓ２０１，Ｙｅｓ）、制御部２９は、メモリ３７に記憶された洗剤量設定を読み込み、洗剤量が設定されているか否かを判定する（Ｓ２０４）。洗剤量設定が設定済みの場合（Ｓ２０４，Ｎｏ）、洗濯運転が行われ（Ｓ２０３）、異常報知の処理を終了する。洗剤量設定が未設定の場合（Ｓ２０４，ＹＥＳ）、制御部２９は、洗濯運転を一時停止させる（Ｓ２０５）。続いて、制御部２９は、７セグメントＬＥＤ５５ｊに「Ｕ７」の異常表示を行い、異常が発生した旨を使用者へ報知し（Ｓ２０６）、異常報知の処理を終了する。
【００５５】
［２−１−３．実施の形態２における異常報知処理の作用］
以上のように、本実施の形態２における洗濯機は、洗濯槽２０と、洗剤自動投入部２４と、制御部２９と、表示部であるＬＥＤ５５ａ〜５５ｐと、操作部であるボタン５６ａ〜５６ｋとを備え、制御部２９は、メモリ３７に記憶された洗剤自動投入部２４のＯＮ／ＯＦＦ設定及び洗剤量設定を読み込み、洗剤自動投入部がＯＮ、かつ洗剤量設定が未設定であれば、７セグメントＬＥＤ５５ｊを点灯させ、異常が発生した旨を使用者に報知させる。これにより、洗剤量が未設定のまま洗濯運転が開始されることを防止するとともに、例え洗剤量が未設定だったとしても、洗剤量を設定するように促すことができるので、＜洗剤自動投入機能を有する洗濯機の操作性を向上させる＞
なお、本実施の形態２では、スタート／一時停止ボタン５６ｆの押下により一旦洗濯運転が開始した後に、洗濯運転を一時停止して異常報知を行うといった構成としたが、これに限定するものではない。例えば、電源をＯＮにした時に、洗剤自動投入部のＯＮ／ＯＦＦ設定と洗剤量設定が読み込まれ、異常報知がなされる構成にしてもよい。
【００５６】
また、本実施の形態２では、洗濯運転を一時停止し（Ｓ２０５）、７セグメントＬＥＤ５５ｊに「Ｕ７」の異常表示を行った後（Ｓ２０６）、異常報知の処理を終了しているが、これに限定するものではない。例えば、異常報知が行われてから一定時間操作が行われなかった場合は、メモリ３７に洗剤自動投入部２４のＯＦＦ設定を記憶し、異常報知の処理を終了するといった構成にしてもよい。
【００５７】
また、本実施の形態２では、異常が発生した旨を使用者へ報知するために、７セグメントＬＥＤ５５ｊに「Ｕ７」の表示を行ったが、異常報知は視覚的手段に限定するものではなく、ブザー５９のような聴覚的手段による報知がなされてもよい。また、ブザー５９のようなブザー音だけでなく、洗濯機に音声出力手段を設けて異常報知を行わせてもよい。また、視覚的手段と聴覚的手段の両方を組み合わせたような構成にしてもよい。この場合、より確実に、洗剤量設定がされていないことを使用者に知らせることができる。
【００５８】
（実施の形態３）
［３−１−１．実施の形態３における洗濯機及び操作表示部の構成］
実施の形態３の特徴は、洗剤量設定が未設定の場合、洗剤自動投入部２４がＯＮ設定とならないことである。
【００５９】
実施の形態３の構成は、実施の形態１と同じであり、同一の構成に同一の符号を付して、詳細な説明は実施の形態１のものを援用する。
【００６０】
［３−１−２．実施の形態３における洗剤自動投入設定処理の動作］
図７は、実施の形態３における自動投入設定時のフローチャートである。
【００６１】
図７において、電源ＯＮボタン５６ｇが押下されると、洗濯機の電源がＯＮとなり、自動投入ボタン受付状態になる。自動投入ボタン受付状態において、自動投入ボタン５６ｍが押下されると、設定処理が開始される（Ｓ３００）。
【００６２】
まず、制御部２９は、メモリ３７に記憶された洗剤自動投入部２４のＯＮ／ＯＦＦ設定と洗剤量設定を読み込み、洗剤自動投入部２４がＯＮであるか、ＯＦＦであるかを判定する（Ｓ３０１）。洗剤自動投入部２４がＯＮの場合（Ｓ３０１、ＮＯ）、制御部２９は、洗剤自動投入部２４のＯＮ／ＯＦＦ状態を表示するＬＥＤ５５ｋを点灯させる（Ｓ３０２）。その後、設定処理を終了する。
【００６３】
洗剤自動投入部２４がＯＦＦの場合（Ｓ３０１，Ｙｅｓ）、制御部２９は、メモリ３７に記憶された洗剤量設定を読み込み、洗剤量が設定されているか否かを判定する（Ｓ３０３）。洗剤量設定が設定済みの場合（Ｓ３０３，Ｎｏ）、制御部２９は、洗剤自動投入部２４のＯＮ／ＯＦＦ状態を表示するＬＥＤ５５ｋを点灯させ（Ｓ３０４）、設定処理を終了する。洗剤量設定が未設定の場合（Ｓ３０３，ＹＥＳ）、そのまま設定処理を終了する。これにより、洗剤量設定が未設定の場合、洗剤自動投入部２４はＯＮ設定とならない。
【００６４】
［３−１−３．実施の形態３における洗剤自動投入設定処理の作用］
以上のように、本実施の形態３における洗濯機は、洗濯槽２０と、洗剤自動投入部２４と、制御部２９と、表示部であるＬＥＤ５５ａ〜５５ｐと、操作部であるボタン５６ａ〜５６ｋとを備え、制御部２９は、メモリ３７に記憶された洗剤自動投入部２４の洗剤量設定を読み込み、洗剤量設定が未設定であった場合、設定処理が終了してしまうので、洗剤自動投入部２４はＯＮ設定とならない。これにより、洗剤量設定が未設定の場合に、洗剤自動投入部２４をＯＮ設定にすることを防止できるので、＜洗剤自動投入機能を有する洗濯機の操作性を向上させる＞。
【００６５】
なお、本実施の形態３では、洗剤量設定が未設定であった場合、設定処理が終了するといった構成としたが、これに限定するものではない。例えば、洗剤量が設定されていない場合、洗剤自動投入部２４のＯＮ設定に加えて、メモリ３７にロック状態を記憶するといった構成も考えられる。ロック状態の時は、自動投入ボタン５６ｍの押下により洗剤自動投入部２４がＯＮ設定となることがないので、洗剤量設定が未設定の場合、洗剤自動投入部２４はＯＮ設定とならない。
【００６６】
また、本実施の形態３では、洗剤量設定が未設定であった場合、設定処理が終了するといった構成としたが、これに異常報知を付け加えてもよい。例えば、洗剤量設定が未設定であると判定すると（Ｓ３０３，ＹＥＳ）、７セグメントＬＥＤ５５ｊを点灯させ、洗剤量未設定のために設定処理を終了するという旨を報知し（Ｓ３０５）、設定処理を終了するといった構成が考えられる。これにより、設定処理が終了してしまう原因を使用者が知ることができるので、使用者に洗濯機が故障したと間違われずに済む効果がある。報知の種類は、実施の形態２と同様、ブザー音や音声出力であってもよく、ＬＥＤに限定するものではない。
【００６７】
（他の実施の形態）
以上のように、本出願において開示する技術の例示として、実施の形態１、２、３を説明した。しかしながら、本開示における技術は、これに限定されず、変更、置き換え、付加、省略、実施の形態１、２、３の組み合わせ等を行った実施の形態にも適用できる。
【産業上の利用可能性】
【００６８】
以上のように、本発明は、洗剤量が未設定の状態で洗剤自動投入部が動作するのを防止することで、洗剤の過少投入や過剰投入を抑止することができるので、食器洗浄機等、洗濯機能を有する家庭用電気機器に適用可能である。
【符号の説明】
【００６９】
２２  水槽
２４  洗剤自動投入部
２５  筐体
２９  制御部
５５  表示部
５５ａ，５５ｂ，５５ｃ  洗い時間ＬＥＤ
５５ｄ，５５ｅ，５５ｆ  すすぎ回数ＬＥＤ
５５ｇ，５５ｈ，５５ｉ  脱水時間ＬＥＤ
５５ｊ  ７セグメントＬＥＤ
５５ｋ  洗剤自動投入部２４のＯＮ／ＯＦＦ表示のＬＥＤ
５５ｎ  洗剤量設定モードＬＥＤ
５５ｐ  単位ＬＥＤ
５６  操作部
５６ａ  洗いボタン
５６ｂ  すすぎボタン
５６ｇ  電源ＯＮボタン
５６ｈ  電源ＯＦＦボタン
５６ｍ  自動投入ボタン
５６ｉ  洗剤量ボタン
５６ｊ  プラスボタン
５６ｋ  マイナスボタン
【図１】
2019208860.tif 000003
【図２】
2019208860.tif 000004
【図３】
2019208860.tif 000005
【図４】
2019208860.tif 000006
【図５】
2019208860.tif 000007
【図６】
2019208860.tif 000008
【図７】
2019208860.tif 000009
【図８】
2019208860.tif 000010